(57)【要約】【課題】細かい物や滑りやすい物、例えば組立模型のエッチングパーツ等の取扱いに適したピンセットを提供すること。【解決手段】二本の腕部を有し、その腕部の先端の内面に、対象物を把持する把持面を有するピンセットであって、該把持面が、ピンセットの長さ方向に対して垂直方向への立ち上がり部或いは落ち込み部を有し、該立ち上がり部及び落ち込み部の角度が９０度であり、該腕部の外周は凹凸を有しない、ピンセット。【選択図】図２
0003227390.tif 000002
【実用新案登録請求の範囲】
【請求項１】
二本の腕部を有し、その腕部の先端の内面に、対象物を把持する把持面を有するピンセットであって、
該把持面が、ピンセットの長さ方向に対して垂直方向への立ち上がり部或いは落ち込み部を有し、該立ち上がり部及び落ち込み部の角度が９０度であり、
該腕部の外周は凹凸を有しない、ピンセット。
【請求項２】
二本の腕部を有し、その腕部の先端の内面に、対象物を把持する把持面を有するピンセットであって、
該把持面が、ピンセットの長さ方向に対して垂直方向への立ち上がり部或いは落ち込み部を有し、該立ち上がり部及び／又は該落ち込み部が曲面であり、
該腕部の外周は凹凸を有しない、ピンセット。
【請求項３】
二本の腕部を有し、その腕部の先端の内面に、対象物を把持する把持面を有するピンセットであって、
該把持面が、ピンセットの長さ方向に対して垂直方向への立ち上がり部或いは落ち込み部を有し、該立ち上がり部の角度が鋭角で、該落ち込み部の角度が９０度であり、
該腕部の外周は凹凸を有しない、ピンセット。
【考案の詳細な説明】
【技術分野】
【０００１】
本考案は、細かい物や滑りやすい物を取り扱うのに適したピンセットに関する。例えば組立模型の細かいエッチングパーツ等を取り扱う際に有用である。
【背景技術】
【０００２】
従来公知のピンセットには、把持部を波型にしたものなど様々なものがあるが、細かい物や滑りやすい物を取り扱うには、まだ不十分であった。またその波型により、把持したときに対象物が傷つく恐れがあった。
特許文献１に記載のような把持部を特殊な形態にしたものも公知であるが、取り扱いやすさに難があった。
また金属製のエッチングパーツや合成樹脂製の組立模型のパーツは、非常に細かい場合やパーツの外形が複雑である場合が多いため、特許文献２〜４等に記載のように専用の道具が公知である。
【先行技術文献】
【特許文献】
【０００３】
【特許文献１】実開平２−５２３４４号公報
【特許文献２】実用新案登録第３２１６８８７号公報
【特許文献３】特開２０００−１４０４６１号公報
【特許文献４】実願平２−１０９９３４号（実開平４−６８７６５号）のマイクロフィルム
【考案の概要】
【考案が解決しようとする課題】
【０００４】
本考案は、細かい物や滑りやすい物、例えば組立模型のエッチングパーツや細かいパーツ、円筒形のパーツ、紙、フィルム等の滑りやすい物の取り扱いに適し、かつ対象物が傷つきにくいピンセットを提供することを目的とする。
【課題を解決するための手段】
【０００５】
１．二本の腕部を有し、その腕部の先端の内面に、対象物を把持する把持面を有するピンセットであって、
該把持面が、ピンセットの長さ方向に対して垂直方向への立ち上がり部或いは落ち込み部を有し、該立ち上がり部及び該落ち込み部の角度が９０度であり、
該腕部の外周は凹凸を有しない、ピンセット。
２．二本の腕部を有し、その腕部の先端の内面に、対象物を把持する把持面を有するピンセットであって、
該把持面が、ピンセットの長さ方向に対して垂直方向への立ち上がり部或いは落ち込み部を有し、該立ち上がり部及び／又は該落ち込み部が曲面であり、
該腕部の外周は凹凸を有しない、ピンセット。
３．二本の腕部を有し、その腕部の先端の内面に、対象物を把持する把持面を有するピンセットであって、
該把持面が、ピンセットの長さ方向に対して垂直方向への立ち上がり部或いは落ち込み部を有し、該立ち上がり部の角度が鋭角で、該落ち込み部の角度が９０度であり、
該腕部の外周は凹凸を有しない、ピンセット。
【考案の効果】
【０００６】
通常ピンセットで対象物を取り扱う際には、対象物を両側から把持するのみ、つまり対象物を二点で把持するものであるところ、本考案によれば、対象物を更にもう一点、つまり三点で把持することができるため、細かい物や滑りやすい物、傷つきやすい物等も容易に取り扱うことができる。
【図面の簡単な説明】
【０００７】
【図１】本考案のピンセットの全体図
【図２】本考案のピンセットの先端部分の拡大図
【図３】本考案のピンセットの先端部分の拡大図
【図４】本考案のピンセットの先端部分の拡大図
【考案を実施するための形態】
【０００８】
本考案のピンセットは、通常のピンセットに用いられる金属やプラスチック等を用いて作成することができる。
以下、図を示して本考案を実施するための形態を説明する。
図１は、本考案のピンセットの全体図である。
図１のピンセットは、二本の腕部１、２を有している。
腕部１、２の外周は、特許文献１に記載のピンセットとは違って、腕部１、２の外周に凹凸がないので、ピンセットを扱いやすく、作業性が向上する。
【０００９】
図２は、請求項１に係る考案のピンセットの先端（図１のＡの部分に相当）の拡大図である。Ｂの部分が把持面の立ち上がり部であり、ピンセットの長さ方向に対して垂直方向に立ち上がっている。Ｂの角度は９０度である。
そしてＣの部分が落ち込み部であり、ピンセットの長さ方向に対して垂直方向に落ち込んでいる。Ｃの角度は９０度である。
この考案のピンセットで対象物を把持するときは、面ａと面ｂ、落ち込み部Ｃの三点で把持するので、細かい物でも確実に把持することができる。また従来のピンセットの二点で把持する場合に比べて、対象物にかかる力を分散することができるため、傷つきやすい物も安全に把持することができる。
また薄い紙や滑りやすいフィルム等を把持するときも、従来のピンセットの二点よりも多くの点で把持できるので、対象物が滑り落ちにくくなる。
【００１０】
図３は、請求項２に係る考案のピンセットの先端の拡大図である。請求項２に係る考案のピンセットでは、立ち上がり部Ｂ及び／又は落ち込み部Ｃが曲面であるが、図３では落ち込み部Ｃが曲面となっている。
この考案のピンセットで対象物を把持するときは、面ａと面ｂ、落ち込み部Ｃの三点で把持するので、細かい物でも確実に把持することができる。また通常のピンセットの二点で把持する場合に比べて、対象物にかかる力を分散することができ、更に、立ち上がり部Ｂ及び／又は落ち込み部Ｃが曲面となっているので、対象物を傷つけずに把持することができる。
特に、破れやすい紙等を把持する場合に立ち上がり部Ｂ及び／又は落ち込み部Ｃによって対象物が破れる心配がなくなる。
【００１１】
図４は、請求項３に係る考案のピンセットの先端の拡大図である。請求項３に係る考案のピンセットでは、立ち上がり部Ｂの角度が鋭角であり、落ち込み部Ｃの角度は９０度である。
この考案のピンセットで対象物を把持するときは、面ａと面ｂ、落ち込み部Ｃの三点で把持するので、細かい物でも確実に把持することができる。また通常のピンセットの二点で把持する場合に比べて、対象物にかかる力を分散することができるため、傷つきやすい物も安全に把持することができる。
【００１２】
また請求項２及び請求項３に係る考案の場合、立ち上がり部と落ち込み部が完全に嵌合しておらず隙間が空いているので、例えば組立模型に使用する水転写デカール等の水や接着剤がついていて滑りやすい対象物を把持する場合、隙間から余分な液体を溢れさせることができるので、対象物が把持しやすくなる。
【００１３】
この考案のピンセットは、腕部１及び２に続く先端の外面を、図１に示すように、腕部１及び２の外面から連続的に伸びる面で構成することができる。このような外面形状の場合には、把持する対象物が特に微小な場合において、腕部外面の延長線上の位置に対象物を確認しながら、把持する動作を円滑に進めることができる。仮に、立ち上がり部Ｂや落ち込み部Ｃの形状を、腕部１及び２の外面の形状に反映した場合には、特に把持対象物が特に微細な場合には、その対象物に狙いを定めてピンセットの先端を持っていくことが困難になる可能性がある。
【産業上の利用可能性】
【００１４】
本考案は、細かい物や滑りやすい物、傷つきやすい物、例えば組立模型等を制作する際の細かいパーツや円筒形のパーツ、金属、紙、フィルム等の滑りやすい物等を取り扱うために使用することができる。
【符号の説明】
【００１５】
１・・・腕部
２・・・腕部
Ａ・・・ピンセットの先端部分
Ｂ・・・立ち上がり部
Ｃ・・・落ち込み部
ａ・・・面
ｂ・・・面
【図１】
0003227390.tif 000003
【図２】
0003227390.tif 000004
【図３】
0003227390.tif 000005
【図４】
0003227390.tif 000006